(57)【要約】【課題】ヘッドマウントディスプレイ装置の使用時に視野が狭くなるのを抑える。【解決手段】後頭部に装着されるリアアーム１と、リアアーム１の両端部に設けられ、左右の耳近傍に装着される２つのスピーカ部２，３と、リアアーム１の一端部に支持されたフロントアーム５と、フロントアーム５に設けられ、リアアーム装着時に片方の目の前方に配置される表示装置４とを備えているヘッドマウントディスプレイ装置において、フロントアーム５に孔６を設けた。【選択図】      図１
2004236127.tif 000002
【特許請求の範囲】
【請求項１】
後頭部に装着されるリアアームと、
このリアアームの両端部に設けられ、左右の耳近傍に装着される２つのサイド部と、
前記リアアームの一端部に支持されたフロントアームと、
このフロントアームに設けられ、リアアーム装着時に目の前方に配置される表示手段と
を備えているヘッドマウントディスプレイ装置において、
前記フロントアームに透光部が設けられている
ことを特徴とするヘッドマウントディスプレイ装置。
【請求項２】
前記透光部は前記フロントアームに設けられた孔であることを特徴とする請求項１記載のヘッドマウントディスプレイ装置。
【請求項３】
前記孔に透明部材が装着されていることを特徴とする請求項２記載のヘッドマウントディスプレイ装置。
【請求項４】
前記透光部はほぼ前記目の視野内に位置することを特徴とする請求項１〜３のいずれか１項記載のヘッドマウントディスプレイ装置。
【請求項５】
前記フロントアームに凹部が設けられていることを特徴とする請求項４記載のヘッドマウントディスプレイ装置。
【発明の詳細な説明】
【０００１】
【発明の属する技術分野】
この発明は頭部に装着されて使用されるヘッドマウントディスプレイ装置に関する。
【０００２】
【従来の技術】
従来のヘッドマウントディスプレイ装置として、表示ユニットとこの表示ユニットを保持するホルダとを備えているものがある。
【０００３】
表示ユニットは、表示器と、この表示器に連結される光学系と、表示器を覆うケーシングにフレキシブルチューブを介して連結される取付けロッドと、ケーシングに取り付けられたクッションとを有する。
【０００４】
ホルダは、左右の耳に装着可能な２つのサイドフレームと、後頭部に沿う１つのリアフレームとを有している。
【０００５】
各サイドフレームの一端には耳に引っ掛ける当たり部が設けられている。当たり部には表示ユニットを保持する保持機構が設けられている。保持機構は筒状部を有し、この筒状部に表示ユニットの取付けロッドを圧入することによって表示ユニットがサイドフレームの当たり部に装着される。
【０００６】
一方のサイドフレームの他端はリアフレームの一端にヒンジを介して連結され、他方のサイドフレームの他端はリアフレーム他端にヒンジを介して連結されている。したがって、各サイドフレームをリアフレームに重ねるように折り畳むことができる。
【０００７】
ヘッドマウントディスプレイ装置を使用するとき、まず各サイドフレームを展開し、その後いずれか一方のサイドフレームの当たり部に表示ユニットを装着する。
【０００８】
次に、リアフレームを後頭部に当てるようにして左右の耳に両方のサイドフレームの当たり部を引っ掛ける。
【０００９】
このようにしてヘッドマウントディスプレイ装置を頭部に装着したとき、表示ユニットが片方の目の前方に配置され、使用者は画像を見ることができる。
【００１０】
【特許文献１】
特開２０００−２２４５１号公報
【００１１】
【発明が解決しようとする課題】
ところが、ヘッドマウントディスプレイ装置を頭部に装着しているとき、表示ユニットの表示器と一方のサイドフレームの当たり部とを連結する働きをする表示ユニットのフレキシブルチューブと取付けロッドとが目の高さ位置にあるため、それらが使用者の斜め前方の視界を遮るという問題がある。
【００１２】
この発明はこのような事情に鑑みてなされたもので、その課題はヘッドマウントディスプレイ装置の使用時に視野が狭くなるのを抑えることである。
【００１３】
【課題を解決するための手段】
上述の課題を解決するため請求項１記載の発明は、後頭部に装着されるリアアームと、このリアアームの両端部に設けられ、左右の耳近傍に装着される２つのサイド部と、前記リアアームの一端部に支持されたフロントアームと、このフロントアームに設けられ、リアアーム装着時に目の前方に配置される表示手段とを備えているヘッドマウントディスプレイ装置において、前記フロントアームに透光部が設けられていることを特徴とする。
【００１４】
請求項２記載の発明は、請求項１記載の発明のヘッドマウントディスプレイ装置において、前記透光部は前記フロントアームに設けられた孔であることを特徴とする。
【００１５】
請求項３記載の発明は、請求項２記載の発明のヘッドマウントディスプレイ装置において、前記孔に透明部材が装着されていることを特徴とする。
【００１６】
請求項４記載の発明は、請求項１〜３のいずれか１項記載の発明のヘッドマウントディスプレイ装置において、前記透光部はほぼ前記目の視野内に位置することを特徴とする。
【００１７】
請求項５記載の発明は、請求項４記載の発明のヘッドマウントディスプレイ装置において、前記フロントアームに凹部が設けられていることを特徴とする。
【００１８】
【発明の実施の形態】
以下この発明の実施の形態を図面に基づいて説明する。
【００１９】
図１〜図３はこの発明の一実施形態に係るヘッドマウントディスプレイ装置を示し、図１はヘッドマウントディスプレイ装置の使用状態を示す斜視図、図２は図１のＩＩ−ＩＩ線に沿う断面図、図３は図１のＩＩＩ−ＩＩＩ線に沿う断面図である。
【００２０】
このヘッドマウントディスプレイ装置は、図１に示すように、後頭部に装着されるほぼ円弧状のリアアーム１と、左右の耳に装着される２つのほぼ円板状の音声出力手段であるスピーカ部（サイド部）２，３と、片方の目の前方に配置される表示装置（表示手段）４と、表示装置４を支持するほぼ円弧状のフロントアーム５とを備えている。
【００２１】
スピーカ部２はリアアーム１の一端部にスライドベルト２ａを介して設けられ、スピーカ部３はリアアーム１の他端部にスライドベルト（図示せず）を介して設けられている。
【００２２】
リアアーム１は樹脂で一体成型され、スピーカ部２，３が互いに接近する方向へばね力が作用する。
【００２３】
フロントアーム５はリアアーム１の一端部に支持されている。フロントアーム５の一部分には孔（透光部）６が設けられ、フロントアーム５の残りの部分には凹部５ａが設けられている。
【００２４】
孔６は図２に示すようにフロントアーム５の厚み方向へ抜ける孔である。凹部５ａの断面形状は図３に示すようにＵ字形である。
【００２５】
この実施形態のヘッドマウントディスプレイ装置を使用するには、両手でスピーカ部２，３間の距離が大きくなるようにリアアーム１を広げ、後頭部の後方からスピーカ部２，３を左右の耳に被せる。
【００２６】
手を離すと、リアアーム１自身の持つばね力によってスピーカ部２，３が左右の耳に押し当てられるので、ヘッドマウントディスプレイ装置は使用者８の頭部に固定される。
【００２７】
このとき使用者８の片方の目の前方に表示装置４が配置され、使用者８は画像を見ることができる。
【００２８】
図４は視野の減少を抑制することができることを説明するための図、図５は使用者８の後方からの光が表示装置の画像表示面に入射するのを防ぐことを説明するための図である。
【００２９】
ヘッドマウントディスプレイ装置は使用者８の頭部に固定されているとき、表示装置４は使用者８の片方の目と対向する位置にある。孔６はほぼ目（表示装置４と対向する方の目）の視野内に位置する。
【００３０】
図４に示すように、孔６を通じて斜め前方を見ることができるので、フロントアーム５による視野の減少を抑制することができる。孔６のないフロントアームに較べ、図４中の矢印Ｖ１、Ｖ２の間の斜線で示した範囲だけ視野が拡大する。
【００３１】
これに対し、凹部５ａは視野外に位置する。図５に示すように、使用者８の後方からの光Ｌは凹部５ａによって遮断され、表示装置４の画像表示面に入射できない。その結果、使用者８は良好な映像を見ることができる。
【００３２】
この実施形態によれば、フロントアーム５に孔６が設けられているので、ヘッドマウントディスプレイ装置の使用時に視野が減少するのを抑制することができる。この実施形態では孔６が視野内に位置するので視野の減少をより確実に抑制できる。
【００３３】
また、フロントアーム５に凹部５ａが設けられているので、フロントアーム５の強度を極端に低下させずに軽量化を図ることができる。この実施形態ではフロントアーム５の孔６、凹部５ａはそれぞれ視野内、視野外に位置しているので、視野を減少させずに、使用者８の斜め後方から表示装置４の画像表示面に入射する光を遮断することができ、良好な映像を見ることができる。
【００３４】
図６はフロントアームの透光部の変形例を示す断面図である。この変形例と上述の実施形態との構成は一部を除いて同じであるので、同じ部分についてはその説明を省略し、異なる部分だけを説明する。
【００３５】
この変形例ではフロントアーム５の孔６に板状の透明部材７が装着されている。この点以外の構成は上述の実施形態と同じである。使用者８は透明部材７を通じて斜め前方を見ることができる。
【００３６】
図６に示すように、フロントアーム５の孔６の部分の断面形状はほぼＵ字形である。透明部材７が孔６の内部空間のほぼ半分を占める。
【００３７】
この変形例によれば、透明部材７によってフロントアーム５の強度を高めることができ、上述の実施形態に較べ、表示装置４が安定する。また、この変形例では透明部材７が孔６の内部空間のほぼ半分を占めるようにして、フロントアーム５の軽量化との調和を図った。
【００３８】
なお、この実施形態では、サイド部がスピーカ部２，３であるが、サイド部はこれに限定されず、サイド部が音声出力機能を持たないもの、例えば、耳当でもよく、或いはサイド部がレシーバの機能を有する受信部であってもよい。
【００３９】
【発明の効果】
以上に説明したようにこの発明によれば、ヘッドマウントディスプレイ装置の使用時に視野が減少するのを抑制することができる。
【図面の簡単な説明】
【図１】図１はこの発明の一実施形態に係るヘッドマウントディスプレイ装置の使用状態を示す斜視図である。
【図２】図２は図１のＩＩ−ＩＩ線に沿う断面図である。
【図３】図３は図１のＩＩＩ−ＩＩＩ線に沿う断面図である。
【図４】図４は視野の減少を抑制することができることを説明するための図である。
【図５】図５は使用者の後方からの光が表示装置の画像表示面に入射するのを防ぐことを説明するための図である。
【図６】図６はフロントアームの透光部の変形例を示す断面図である。
【符号の説明】
１  リアアーム
２，３  スピーカ部（サイド部）
４  表示装置（表示手段）
５  フロントアーム
５ａ  凹部
６  孔
７  透明部材
【図１】
2004236127.tif 000003
【図２】
2004236127.tif 000004
【図３】
2004236127.tif 000005
【図４】
2004236127.tif 000006
【図５】
2004236127.tif 000007
【図６】
2004236127.tif 000008